(57)【要約】【課題】ＲＦＩＤを組み込んだ封印シールによって封印された基板保護ケースが不正に開放されたことによって封印シールに含まれるＲＦＩＤが破断、断線した場合に、封印シールを修復しようとしてもＲＦＩＤの通信機能の回復を困難化する。また、封印シールとカシメピンによる締結構造を併用することによって、ＲＦＩＤを確実に破損しない限りは締結部を破壊して基板保護ケースを開放することができない構造を提供する。【解決手段】ケース片の制御基板面と略平行なケース面１１Ａにはカシメピン穴４０が形成されており、該カシメピン穴内には、内部にカシメピン６０を挿通することによって両ケース片を連結するための中空筒状のカシメピン支持部４５が配置され、各封印端部の先端面にはカシメピン支持部の外面と連通する連通穴５５が形成されている。【選択図】図６
2010088784.tif 000002
【特許請求の範囲】
【請求項１】
電子部品を搭載した制御基板を内部に収容し、且つ制御基板面と平行な方向へスライドすることにより開閉可能に構成された少なくとも２つのケース片から成る基板保護ケースであって、
前記各ケース片の閉止時には前記各封印端部の先端縁同志が近接して突き合わせ部を構成し、
何れか一方の前記ケース片の前記制御基板面と略平行なケース片面にはカシメピンを挿通するカシメピン穴が形成されており、該カシメピン穴内には、前記カシメピンを挿通することによって両ケース片を連結するための中空筒状のカシメピン支持部が配置されており、
前記封印端部の先端面には前記カシメピン支持部の外面と連通する連通穴が形成されていることを特徴とする基板保護ケース。
【請求項２】
前記カシメピン支持部は、前記各ケース片から延びるリブによって夫々支持された支持部材から構成されており、前記連通穴から挿入された治具による打撃によって前記カシメピンにより連結された各支持部材の連結を解除可能に構成されていることを特徴とする請求項１に記載の基板保護ケース。
【請求項３】
前記各ケース片に跨って接着されることにより前記突き合わせ部を封印する接着シートと、該接着シート面に固定されたＩＣチップ、及び該ＩＣチップから延びる導体パターンを含んだＲＦＩＤと、を有した封印シールを備え、
前記連通穴を閉止すると共に、前記ＲＦＩＤの一部が前記連通穴の開口内に位置するように前記封印シールを接着したことを特徴とする請求項１、又は２に記載の基板保護ケース。
【請求項４】
請求項１乃至３の何れか一項に記載の基板保護ケースを備えたことを特徴とする遊技機。
【発明の詳細な説明】
【技術分野】
【０００１】
本発明は、パチンコ遊技機、スロットマシン等の各種遊技機に搭載されたＲＯＭを交換する等の不正行為のために基板保護ケースが開放された形跡を確実に残して不正行為を発見可能とし、効果的に予防することができる基板保護ケース、及び遊技機に関する。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭの不正な取り換えは、工場から出荷された遊技機が遊技場に設置される以前の段階、或いは設置後に行われる可能性が高い。
このような不正行為に対する対策として特許文献１には、制御基板上のＲＯＭを包囲するケース体とカバー体とを分離不能な結合手段によって結合することにより、結合手段を破壊した場合にはその痕跡が必ず残るようにした技術が提案されている。
しかし、不正行為者の手口が更に巧妙化することにより、結合手段を破壊してＲＯＭを交換した後で、形跡が残らないように新たな結合手段を組み付ける可能性がある。
特許文献２にも不正防止のための装置構成が開示されているが、特許文献１の場合と同様の欠点を有している。
【０００３】
このような不具合に対処すべく、封印シールを用いて基板保護ケースを封印することが行われているが、カッタを用いて封印シールを切断してから基板保護ケースを開放し、ＲＯＭを交換して基板保護ケースを閉止してから封印シールの切断面を修復すると、目視によって切断箇所の有無を判別できなくなるケースが多々あった。そのような不具合に対処するため、ＲＦＩＤを組み込んだ封印シールが用いられるようになっている。
即ち、特許文献３には、識別情報を記憶したＲＦＩＤ（非接触型記憶媒体）を組み込んだ封印シールを基板保護ケースを構成するケース本体とケース蓋とに跨って接着することにより、基板保護ケースが不正に開放された場合にＲＦＩＤが破断、断線して識別情報の読取りが不可能となるようにした技術が開示されている。これによれば、読み取り装置を用いてＲＦＩＤに記憶された識別情報を読取ることができない場合に、不正に基板保護ケースが開放されたことを知ることができる。
特許文献４、５にも、ＩＣタグやテープ型のインレットを用いた同様の不正発見のための技術が開示されている。
【０００４】
図８（ａ）及び図９は従来の基板保護ケースの構成を示す斜視図、及び分解斜視図である。内部に制御基板１２０を収容した基板保護ケース１００は、ケース本体１０１とケース蓋１０２とを接合させた構成を備えている。基板保護ケース１００の一端部に位置するケース本体とケース蓋との突き合わせ部１０３には封印シール１１０が両者に跨って接着されている。また、突き合わせ部１０３とは反対側の端部にはカシメピンによる締結部１３０が設けられており、封印シール１１０と締結部１３０による不正行為の防止対策が採られている。
封印シール１１０は一面に接着層を有した紙等の破断し易い材質から成る接着シート１１１と、接着シートに固定されたＲＦＩＤ（例えば、ＩＣタグ）１１２と、を備えている。ＲＦＩＤ１１２は、電力生成回路、変復調回路、記憶回路、制御回路を含むチップ１１３と、チップから反対方向に延びる二本の導体パターン１１４と、各導体パターン１１４の先端に接続されたアンテナ部１１５と、を有している。図示しない読み取り装置からＲＦＩＤ１１２に向けて読み取り用の電磁波を照射すると、チップ内の電力生成回路が電磁誘導作用により起電力を生成し、この起電力により作動する制御回路によって記憶回路内に記憶された識別情報を読み出してアンテナから読み取り装置へ送信することにより識別情報を読取ることができる。
ＲＦＩＤ１１２を構成する導体パターン１１４は接着シート１１１の対角線方向へ延びており、導体パターン１１４が突き合わせ部１０３と交差するように封印シールを接着しておくことにより、基板保護ケースが不正に開放された場合に導体パターンの一部が断線して記憶情報の読み出しを不可能とすることができる。
【０００５】
しかし、本出願人による実験によれば、基板保護ケースを開放する際に封印シール１１０が破れることによってＲＦＩＤ１１２を構成する導体パターンが一箇所だけ破断したとしても、基板保護ケースを再閉止する際に封印シールの状態を修復して破断部間の導通を回復させることが可能であった。
特に、直線的に延びる突き合わせ部１０３に沿ってカッタによって封印シール１１０を切断する過程で導体パターンを一箇所切断した場合には、後の修復作業によって導体パターンを再導通させることが比較的容易となる。
【０００６】
次に、図８（ｂ）及び（ｃ）はカシメピンによる締結部の構成を示す断面図（（ａ）のＸ−Ｘ断面図）である。
従来からケース本体１０１とケース蓋１０２を強固に締結する手段としてカシメピン１３１を用いた締結部１３０が採用されている。ケース本体１０１とケース蓋１０２には円筒状のカシメピン支持部１３２、１３３が夫々固定されており、両カシメピン支持部１３２、１３３を（ｂ）のように連通させた状態でカシメピン１３１を一方のカシメピン支持部１３３の開口側から内部に圧入して圧着固定することによりケース本体１０１とケース蓋１０２とを連結することが可能となる。この締結部１３０は、図示のように複数箇所（この例では二箇所）設けられているが、基板保護ケースを閉じる際には一つの締結部１３０のみが使用される。遊技場に設置された遊技機の制御基板に違法な改変が行われているか否かを検査するために基板保護ケースを開放する場合には、各カシメピン支持部１３２、１３３をケース側に連結しているリブ１３２ａ、１３３ａをペンチ等の治具により切断することによりカシメピンを除去した上で開放する作業が行われる。検査を終了した後に基板保護ケースを再び閉じる場合には未使用状態にある他の締結部１３０を利用した締結が行われる。
不正行為者が基板保護ケースを開放する場合には、カシメピンにより締結されている締結部１３０を破損する必要があるが、締結部が破損された形跡を確認しただけでは、これが違法行為によるものか、或いは定期検査等のために適法に開放された形跡であるかを判別することはできなかった。
【特許文献１】特開２００６−１３０３５２公報
【特許文献２】特開２００７−１６０００４公報
【特許文献３】特開２０００−３３４１５４公報
【特許文献４】特許第４１２９９８５号
【特許文献５】特開２００８−３６２２８公報
【発明の開示】
【発明が解決しようとする課題】
【０００７】
以上のように、ＲＯＭを搭載した制御基板を収容する基板保護ケースが不正に開放された形跡が残るようにするために、ＲＦＩＤを組み込んだ封印シールによって基板保護ケースを封印する方法を採用した場合には、基板保護ケースの開放によって封印シール及びＲＦＩＤを一旦破断、断線させたとしても基板保護ケースの再閉止時に封印シールを修復してＲＦＩＤによる通信機能を回復させることが可能であった。
また、カシメピンを用いた締結部に開放された形跡があることを確認しただけでは、それが不正行為によるものか、或いは適法な検査のための作業によるものかを知ることはできなかった。
本発明は上記に鑑みてなされたものであり、ＲＦＩＤを組み込んだ封印シールによって封印された基板保護ケースが不正に開放されたことによって封印シールに含まれるＲＦＩＤが破断、断線した場合に、封印シールを修復しようとしてもＲＦＩＤの通信機能の回復を困難化することができる基板保護ケース、及びこの基板保護ケースを用いた遊技機を提供することを目的としている。
また、封印シールとカシメピンによる締結構造を併用することによって、ＲＦＩＤを確実に破損しない限りは締結部を破壊して基板保護ケースを開放することができない構造を提供することを目的としている。
【課題を解決するための手段】
【０００８】
上記目的を達成するため、請求項１の発明は、電子部品を搭載した制御基板を内部に収容し、且つ制御基板面と平行な方向へスライドすることにより開閉可能に構成された少なくとも２つのケース片から成る基板保護ケースであって、前記各ケース片の閉止時には前記各封印端部の先端縁同志が近接して突き合わせ部を構成し、何れか一方の前記ケース片の前記制御基板面と略平行なケース面にはカシメピンを挿通するカシメピン穴が形成されており、該カシメピン穴内には、前記カシメピンを挿通することによって両ケース片を連結するための中空筒状のカシメピン支持部が配置されており、前記封印端部の先端面には前記カシメピン支持部の外面と連通する連通穴が形成されていることを特徴とする。
基板保護ケースを不正に開放するために、基板保護ケースを構成する各ケース片間を連結固定するためのカシメピンを切除、破壊しようとした場合に、必ずケース片の端縁同志の突き合わせ部に接着された封印シール上のＲＦＩＤを著しく破損せねばならないように構成したので、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
【０００９】
請求項２の発明は、請求項１において、前記カシメピン支持部は、前記各ケース片から延びるリブによって夫々支持された支持部材から構成されており、前記連通穴から挿入された治具による打撃によって前記カシメピンにより連結された各支持部材の連結を解除可能に構成されていることを特徴とする。
請求項３の発明は、請求項１、又は２において、前記各ケース片に跨って接着されることにより前記突き合わせ部を封印する接着シートと、該接着シート面に固定されたＩＣチップ、及び該ＩＣチップから延びる導体パターンを含んだＲＦＩＤと、を有した封印シールを備え、前記連通穴を閉止すると共に、前記ＲＦＩＤの一部が前記連通穴の開口内に位置するように前記封印シールを接着したことを特徴とする。
請求項４の発明は、請求項１乃至３の何れか一項に記載の基板保護ケースを備えたことを特徴とする。
【発明の効果】
【００１０】
以上のように本発明によれば、基板保護ケースを不正に開放するために、基板保護ケースを構成する各ケース片間を連結固定するためのカシメピンを切除しようとした場合に、必ずケース片の端縁同志の突き合わせ部に接着された封印シール上のＲＦＩＤを著しく破損せねばならないように構成したので、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
特に、ＲＦＩＤを組み込んだ封印シールによって封印された基板保護ケースを、カシメピンを切除することにより不正に開放した場合には、連通穴に挿通された治具により封印シールに含まれるＲＦＩＤが完全に破断、断線するように構成したので、封印シールを修復することによりＲＦＩＤの通信機能を回復させることが困難となる。
【発明を実施するための最良の形態】
【００１１】
以下、本発明を図面に示した実施の形態により詳細に説明する。
図１は本発明の基板保護ケースの外観構成を示す斜視図（透視図）であり、図２はその分解斜視図であり、図３は上ケースを下ケースからスライドさせる手順を示した図であり、図４はカシメピンを用いて両ケース片を組み付ける手順、図５（ａ）（ｂ）は封印端部に封印シールを接着する手順を示す説明図である。
基板保護ケース１は、ＲＯＭを始めとした電子部品を搭載した制御基板（プリント基板）Ｂを内部に収容した状態でパチンコ遊技機等の遊技機の背面側に組み付けられる。
基板保護ケース１は、ＲＯＭを搭載した制御基板（プリント基板）Ｂを間に挟んだ状態で内部に収容する透明な樹脂製の２つのケース片（下ケース片２、上ケース片１０）から構成されている。２つのケース片２、１０は、制御基板の両面と夫々対向した状態で組み付けられており、矢印で示した制御基板面と平行な方向へスライドすることにより開閉するように構成されている。
【００１２】
符号２ａは下ケース片２側に設けた長穴状のスライド係止部であり、このスライド係止部に設けた切欠き部を介して長穴内部に上ケース片１０に設けた係合突起１０ａを係合させることにより、下ケース片２に対して上ケース片１０が長手方向へスライド可能となっており、スライドさせることにより着脱（開閉）することが可能となる。
なお、符号７０は遊技機の背面側に設けた遊技機側保持部に対して基板保護ケース１を取り付けるための連結部材であり、この連結部材７０に設けたフック部７１を遊技機側保持部に設けた軸部７５に係合させることにより、基板保護ケース１は軸部７５を中心として上下方向へ回動自在に軸支することができる。基板保護ケース１の下ケース片２がこの連結部材７０により保持されるため、基板保護ケース１は遊技機側の軸部７５を中心として上下方向へ回動することができる。
【００１３】
制御基板Ｂを収容した基板保護ケース１は下ケース片２を連結部材７０を介してパチンコ遊技機等の遊技盤の背面に添設させた状態で組み付けられるため、遊技盤の背面側から上ケース片１０を通して内部の制御基板面に搭載された電子部品を視認することができる。また、連結部材の上部に設けた軸部を中心として基板保護ケース１を上方に回動させることにより、透明な下ケース片２の底面から基板保護ケース内部を確認することができる。
この例では、連結部材７０に固定された下ケース片２の内部凹所内に制御基板Ｂを配置した状態で、上ケース片１０に設けた係合突起１０ａを下ケース片２に設けたスライド係止部２ａに嵌合させることにより上ケース片１０を下ケース片２上に被せてから、上ケース片１０を図３中に矢印で示した閉止方向へスライドさせることにより両ケース片を閉止状態で結合させることができる（図１の状態）。逆に、図１の閉止状態にある基板保護ケース１を開放状態に移行させる場合には、上ケース片１０に設けた係合突起を下ケース片２に設けたスライド係止部２ａに沿って図３の矢印で示した開放方向へスライドさせてから切欠き２ａから係合突起１０ａを離脱させればよい。
【００１４】
下ケース片２と上ケース片１０の各一端部には封印片３、１１が突設されており、両封印片３、１１を突き合わせることにより封印端部２０が形成される。また、両封印片の端縁３ａ、１１ａ同志を突き合わせた界面には、突き合わせ部２１が形成される。
基板保護ケース１が図１のように閉止状態にある時に、両封印片３、１１に跨るように封印シール３０を接着することにより、封印シール３０を破損せずには突き合わせ部２１を開放できないように構成されている。
封印シール３０は一面に接着層を有した紙等の破断し易い材質から成る接着シート３１と、接着シート３１の一面に固定されたＲＦＩＤ（例えば、ＩＣタグ等の非接触型の電波による識別手段）３５と、を備えている。ＲＦＩＤ３５は、電力生成回路、変復調回路、記憶回路、制御回路を含むチップ３６と、チップ３６から反対方向に延びる二本の導体パターン３７と、各導体パターン３７の先端に夫々接続されたアンテナ部３８と、を有している。本例の封印シール３０は矩形の接着シート３１の略中心部にチップ３６を配置すると共に、チップ３６から略対角線方向へ向けて各導体パターン３７を引き出している。
図示しない読み取り装置からＲＦＩＤ３５に向けて読み取り用の電磁波を照射すると、アンテナ部３８が電磁波を受信し、導体パターン３７を介してチップ３６に電磁波を供給する。この電磁波によりチップ３６内の電力生成回路が電磁誘導作用による起電力を生成し、この起電力により作動する制御回路によって記憶回路内に記憶された識別情報を読み出してアンテナ部から読み取り装置へ送信することにより識別情報の読取りが行われる。
【００１５】
ＲＦＩＤを構成する線状の導体パターン３７は接着シート３１の略対角線方向へ延びており、導体パターン３７が突き合わせ部２１と交差するように封印シール３０を接着しておくことにより、基板保護ケースが不正に開放された場合に導体パターンの一部が断線して記憶情報の読み出しを不可能とすることができる。
即ち、基板保護ケース１を開放するために固定側の下ケース片２に対して可動側の上ケース片１０を図３中に矢印で示した開放方向へスライドさせた際に、突き合わせ部２１が開放（スライド方向に位置ずれ）することにより接着シート３１と共にＲＦＩＤ３５の一部（チップ部３６や導体パターン３７）が破断（断線）して、ＲＦＩＤの通信機能が喪失されるように構成されている。ＲＦＩＤの通信機能が喪失されると、読み取り装置から電磁波を供給してもＲＦＩＤが作動せず、記憶された識別情報を読み出すことができなくなるため、基板保護ケースが不正に開放されたことを知ることができる。
しかし、実際には基板保護ケース１を不正に開放した際に二本の導体パターン３７のうちの一方のみが断線されたに過ぎない場合には、両ケース片２、１０を閉止状態に戻して破断した封印シール３０を修復することにより断線部が再接続により復旧して導通（読み取り装置との通信）を回復することが可能となることが判明した。
【００１６】
このような不具合に対処するために、本発明では、何れか一方のケース片（本例では上ケース片１０）側の封印端部１１の制御基板面と略平行なケース面１１Ａにカシメピン穴４０を形成し、図４に示すようにカシメピン穴４０内に、内部に金属製のカシメピン６０を挿通することによって両ケース片を連結するための中空筒状のカシメピン支持部４５を配置し、更に各封印端部２０の先端面にはカシメピン支持部の外面と連通する連通穴５５を形成した。封印シール３０は、図５に示すように突き合わせ部２１を封印する時に封印シール３０によって連通穴５５が封止されるように封印端部２０に接着されると共に、連通穴５５内にＲＦＩＤ３５（特に、チップ部３６）が位置するように位置決めする。
このように構成した結果、不正行為者が基板保護ケースを開放するためにはカシメピン支持部４５を破壊してカシメピン６０を除去する必要がある。その際、ドライバー等の棒状の治具を用いて封印シールを破壊しつつ連通穴５５内に差込み、カシメピン支持部４５に打撃を加える必要があるため、その作業過程で封印シール上のＲＦＩＤ３５が完全に破壊されてその通信機能が失われる。
即ち、図２、図４、図５等に示すように、カシメピン支持部４５は、樹脂製の下ケース片２側の封印片３の内壁に突設した樹脂製の中空円筒状の第１支持部材４６と、樹脂製の上ケース片１０側の封印端部１１の内壁に突設した樹脂製の中空円筒状の第２支持部材４７と、から構成されており、各支持部材４６、４７は各封印片３、１１との間をリブ４６ａ、４７ａによって連結されている。第２支持部材４７の外側開口はカシメピン穴４０と連通している。各支持部材４６、４７の内壁はカシメピン６０の棒状部を圧入したときにこれと圧着状態となるように、カシメピンの棒状部よりも若干径が小さく設定されている。また、カシメピンをカシメピン穴４０から圧入して両支持部材４６、４７を圧着連結した状態にあるときには、連通穴５５から治具を差し入れて支持部材４６、４７に打撃を加えることによりリブ４６ａ、４７ａを破壊しない限り、カシメピン６０を除去することはできない。
【００１７】
図６（ａ）（ｂ）、図７（ａ）（ｂ）及び（ｃ）は治具を用いて封印シールを破損しつつカシメピン支持部を破壊する手順を示している。
カシメピン６０により連結され、且つ封印シールにより封印されたケース片２、１０を開封、開放する場合には、まず図６（ａ）（ｂ）に示すようにドライバー、その他の棒状の治具６５を先端から連通穴５５内に差し込むことにより封印シールを破損しつつ、カシメピン支持部４５を破損する必要がある。
図７（ａ）は破壊されていないカシメピン支持部４５の状態を示しているが、図７（ｂ）（ｃ）のように治具６５が連通穴５５から差し込まれて打撃を加えることにより、カシメピン支持部４５は破壊され、カシメピン６０による両ケース片の連結状態が解除される。なお、基板保護ケース１の他の部位に同様な構成のカシメピンによる連結部がある場合にはその連結部も破壊して連結を解除する必要がある。
このようにカシメピン６０が圧入されたカシメピン支持部４５を破壊するために連通穴５５内に治具６５を差し込むと、連通穴５５の開口内に相当する封印シールが必ず破壊されるので、その部位に位置するＲＦＩＤ３５が回復不能な程度に著しい破壊状態となる。
従って、外観からも封印シール３０が破壊されていることが判別可能となるばかりでなく、読取り装置によってＲＦＩＤにメモリされた識別番号を読み取ろうとした場合にも読取が不能となる。このため、不正な開封、ケースの開放が行われたことを知ることができる。
【００１８】
以上のように本発明に係る基板保護ケースによれば、基板保護ケース１を不正に開放するために、基板保護ケースを構成する各ケース片２、１０間を連結固定するためのカシメピン６０を切除しようとした場合に、必ずケース片の端縁同志の突き合わせ部２１に接着された封印シール３０上のＲＦＩＤ３５を著しく破損せねばならないように構成した。このため、目視によって封印シールの破損の有無を知ることができるばかりでなく、読み取り装置からＲＦＩＤに対して読み取り用の電磁波を照射した際に、ＲＦＩＤからの応答信号がない（或いは、本来の識別番号を読取ることができない）ことによっても封印シールが破損されていることを的確に知ることができる。
特に、ＲＦＩＤを組み込んだ封印シールによって封印された基板保護ケースを、カシメピンを切除することにより不正に開放した場合には、連通穴に挿通された治具により封印シールに含まれるＲＦＩＤが完全に破断、断線するように構成したので、封印シールを修復することによりＲＦＩＤの通信機能を回復させることが困難となる。
本発明に係る基板保護ケース１は、パチンコ遊技機、スロットマシン等の遊技機に装備される制御基板を収容する手段として利用可能である。
【図面の簡単な説明】
【００１９】
【図１】本発明の基板保護ケースの外観構成を示す斜視図（透視図）である。
【図２】図１の分解斜視図である。
【図３】上ケースを下ケースからスライドさせる手順を示した図である。
【図４】カシメピンを用いて両ケース片を組み付ける手順を示した図である。
【図５】（ａ）（ｂ）は封印端部に封印シールを接着する手順を示す説明図である。
【図６】（ａ）（ｂ）は治具を用いて封印シールを破損しつつカシメピン支持部を破壊する手順を示す外観図である。
【図７】（ａ）（ｂ）及び（ｃ）は治具を用いて封印シールを破損しつつカシメピン支持部を破壊する手順を示す断面図である。
【図８】（ａ）は従来の基板保護ケースの構成を示す斜視図であり、（ｂ）及び（ｃ）はカシメピン支持部の構成説明図である。
【図９】図８の基板保護ケースの構成を示す分解斜視図である。
【符号の説明】
【００２０】
１…基板保護ケース、２…下ケース片、２ａ…スライド係止部、３…封印片、３ａ…端縁、１０…上ケース片、１０ａ…係合突起、１１…封印片、１１Ａ…ケース面、２０…封印端部、３０…封印シール、３１…接着シート、３５…ＲＦＩＤ、３６…チップ部、３７…導体パターン、３８…アンテナ部、４０…カシメピン穴、４５…カシメピン支持部、４６…支持部材、４６ａ…リブ、４７…支持部材、５５…連通穴、６０…カシメピン、６５…治具、７０…連結部材、７１…フック部、７５…軸部
【図１】
2010088784.tif 000003
【図２】
2010088784.tif 000004
【図３】
2010088784.tif 000005
【図４】
2010088784.tif 000006
【図５】
2010088784.tif 000007
【図６】
2010088784.tif 000008
【図７】
2010088784.tif 000009
【図８】
2010088784.tif 000010
【図９】
2010088784.tif 000011